(57)【要約】【課題】点検結果を人為的に表示するのではなく，点検対象の点検が終わった時点で近傍に配置される磁気スタンプを用いて，表示カードに点検済み記号を追記表示することにより，点検を漏らしたり点検対象を間違うことが無く，持ち歩きが容易な点検表示ツールを実現する。【解決手段】磁気パネルで追記部が構成される表示カードに，点検対象の近傍に配置される磁気スタンプで点検済み記号を追記表示して残す点検表示ツール。表示カードの追記表示内容は磁石材で構成される磁気イレーザーにより消去される。【選択図】図１
0003129257.tif 000002
【実用新案登録請求の範囲】
【請求項１】
粘性流体中に磁性粉を封入した小室の集合からなる磁気パネルで追記部を形成し，かつ点検に関する事項が予め表面に印刷された表示カード，および点検対象の近傍に配置され点検済み記号を該表示カードの所定の追記部に表示する磁気スタンプ，ならびに表示内容を消去する磁気イレーザーで構成される点検表示ツール。
【考案の詳細な説明】
【技術分野】
【０００１】外出に際して，電気器具，ガス器具，戸締りなどの点検が確実に行われたか否かに関して常に不安があり，途中から戻って確認をしなおす場合もあるなど，人間の記憶には「曖昧さ」が付き物である。このような不安を払拭するため，外出時に磁気パネルで形成される表示カードの追記部に，点検対象の点検結果を磁気スタンプで表示することにより，点検対象が間違いなく点検された結果を残すことが出来る点検表示ツールに関する。
【背景技術】
【０００２】外出時における点検記憶の曖昧さ，ならびに点検漏れを防止するために，点検を実施した場合に点検者が点検対象を示すスイッチなどを点検済みにセットして点検結果を残す表示器などが種々提案されており，それなりの効果は有るものの，点検結果を人為的に選択して表示する方法では設定ミスなども考えられるとともに，点検対象が間違いなく点検されたか否かに不安が残る。さらにスイッチなどで構成した表示器は大型となり点検結果を持ち歩くには適さない欠点を有している。
【考案が解決しようとする課題】
【０００３】点検結果を人為的に選択して表示するのではなく，点検対象の点検が終わった時点で近傍に配置され，かつ点検対象を示すそれぞれ固有の記号が表示される磁気スタンプを用いて，表示カードの追記部に点検済み記号を表示することにより，点検を漏らしたり，点検対象を間違うことが無いとともに，薄型，小型，軽量な表示カードに記録を残すことにより，点検結果の持ち歩きに適する点検表示ツールを実現する。
【課題を解決するための手段】
【０００４】粘性流体中に磁性粉を封入した小室の集合からなる磁気パネルで追記部が構成され，点検に関する事項が予め表面に印刷された表示カードに，所定の点検が完了した時点で，点検対象の近傍に配置され，それぞれの点検対象を明示する点検済み記号が表示されている磁気スタンプを表示カードの所定の追記部に圧接して表示カードに点検済みを追記表示することにより，所定の点検箇所を漏れなく確実に点検し，その結果を表示カードに残す点検表示ツールである。表示カードに追記表示された内容は磁気イレーザーで容易に消去することが出来，理想的な点検表示ツールが実現される。
【考案の効果】
【０００５】点検対象の点検が終わった時点で，近傍に配置され，かつ点検対象を示す固有の記号が表示される磁気スタンプを用いて，表示カードの所定の追記部に点検済み記号を表示することにより，点検を漏らしたり，点検対象を間違うことが無いとともに，薄型，小型，軽量な表示カードに記録を残すことにより，点検結果を持ち歩いて，気になった時に点検状況を再確認できるとともに，磁気イレーザーを使用して追記内容を消去することが出来る特徴を有している。
【考案を実施するための最良の形態】
【０００６】図１は点検済み記号が追記表示されていない状態の表示カードを示す概念図であり，１は点検対象の記号欄，２は点検済みの記号追記欄である。既に表示カード上に表記されている内容は予め印刷されている。点検対象は，ガス栓は１，風呂は２，勝手口は３，居間のＴＶは４，・・・・・・，玄関の鍵は１０などのように記号を割り当てる。点検対象の詳細な内容は表示カードを紛失した場合などを考慮して表示せず記号表示としている。図２は点検済み記号が追記表示された状態の表示カードを示す概念図であり，点検済み欄には，点検対象と同じ記号が表示され，確認を容易にしているが，記号が同一であるのは磁気スタンプに割り付けられている点検済み記号３が点検対象記号４と同一に設定されている場合であり，点検対象記号４のシール記号を変更すれば，同一ではなくなる。【０００７】図３は点検対象の近傍に配置される磁気スタンプの概観斜視図である。磁気スタンプのベース５は樹脂材で構成され，点検対象記号４は貼り付けラベル，点検済み記号３は磁石材で形成されてベース５に貼り付ける構成となっている。本例の点検対象記号４は１であり，点検が済んだ時点で表示カードに圧接して追記表示する点検済み記号３は磁気材で反転した１に形成されているため，表示カード上では１として表示される。このように本例では，記号１〜１０までの磁気スタンプが用意され，それぞれが点検対象の近傍に接着材６で接着固定される。【０００８】表示カードに表示された追記表示内容は，裏面を磁石材で構成される磁気イレーザーで擦ることによって容易に消去することが出来，再表示が可能となる。【０００９】以上説明するように，本考案による点検表示ツールは，点検済みのスタンプが点検対象の近傍に配置されているため，点検者は点検対象に行かざるを得ず，結果的に，間違えなく点検が行われるとともに，点検対象記号と追記表示された点検済み記号を比較することで，点検対象が間違っていないかを瞬時に判断できる。さらに，薄く，軽量，小型な表示カードのみを持ち歩けばよいなど，理想的な点検表示ツールである。
【実施例】
【００１０】図１に示す実施例では表示カードは縦１４０ｍｍ，幅９０ｍｍ，厚さ１．５ｍｍで，それぞれの点検済み記号の追記枠は２０×３０ｍｍで構成されている。磁気パネルの磁性粉は着色により，黒色，青色，赤色などが可能である。図３に示す磁気スタンプのベース５はプラスチック材で縦２０ｍｍ，横４０ｍｍ，厚さ５ｍｍで，裏面に接着テープ６が取り付けられており，点検対象の近傍に貼り付けて固定する。点検済み記号３は磁石材で所要記号を反転形成し，５ｍｍ高いベース部に取り付けて表示カードへの圧接を容易にしている。点検対象記号４はシールで表示されているが，記号の設定変更が必要ない場合はベース樹脂との一体成型で良い。表示内容を消去する磁気イレーザーは，棒状または板状などの磁石材で構成し，表示カードの短辺の半幅サイズとする。図４はメモ７など，必要事項を磁気ペン８で追記できるタイプの実施例であり，点検対象欄を広げて手書きで必要事項を書き込むことも可能となる。なお，実施例では表示件数を１０件としたが，各種デイメンジョンは，表示内容，表示件数などにより相違する。文字ならびに記号の色は任意に設定できるとともに，イラストを入れるなどの構成も可能であるなど，本考案の趣旨を逸脱しない範囲であれば，種々変形実施が可能である。
【図面の簡単な説明】
【００１１】
【図１】点検済み欄が表示されていない状態の表示カードの概念図を示す。
【図２】点検済み欄が追記表示された状態の表示カードの概念図を示す。
【図３】点検対象の近傍に配置される磁気スタンプの概観斜視図を示す。
【図４】メモを追記できる表示カードの概念図を示す。
【符号の説明】
１  表示カードにおける点検対象欄
２  表示カードにおける点検済み記号追記欄
３  磁気スタンプにおける点検済み記号
４  磁気スタンプにおける点検対象記号
５  磁気スタンプにおけるベース
６  磁気スタンプにおける接着材
７  表示カードにおけるメモ欄
８  磁気ペン
【図１】
0003129257.tif 000003
【図２】
0003129257.tif 000004
【図３】
0003129257.tif 000005
【図４】
0003129257.tif 000006